(57)【要約】【課題】護摩法を修した後に残る護摩の灰は、そのご利益の大なることもすさまじく、大変ありがたいものであり、かかる護摩の灰の有効な利用方法が検討されていた。【解決手段】礼拝祈願対象物である仏像の底部には収納穴が形成されている。かかる収納穴には、護摩法を修した後に残る護摩の灰が納めてあり、開閉自在の蓋体によって密閉されるようになっている。仏像は木像に限定されず、金属製や焼き物あるいは石彫などの仏像であってもよい。また収納穴の形成部位は底部に限らず、背部や側部であってもよい。このように、護摩の灰を仏像の体内に納めている結果、ご利益のある護摩の灰と礼拝対象たる仏像が一体化しているので、祈願した参拝者がこの仏像を持ち帰れば、日々そのご加護を実感することができる。また単に包装紙に包まれた護摩の灰を持ち帰る場合等に比して、本考案の場合では仏像に納めてある結果、視覚的・精神的にもご加護を実感できる。【選択図】図２
0003134331.tif 000002
【実用新案登録請求の範囲】
【請求項１】
仏像、御守りなどから成る礼拝祈願対象物であって、
護摩法を修した後に残る護摩の灰を、収納または装着して成ることを特徴とする礼拝祈願対象物。
【請求項２】
仏像、御守りなどから成る礼拝祈願対象物であって、
護摩法を修した後に残る護摩の灰を、当該礼拝祈願対象物の形状に固めて成ることを特徴とする礼拝祈願対象物。
【請求項３】
仏像、御守りなどから成る礼拝祈願対象物であって、
当該礼拝祈願対象物に収納穴が形成されており、護摩法を修した後に残る護摩の灰を、前記収納穴に納めて成ることを特徴とする礼拝祈願対象物。
【請求項４】
前記収納穴が開閉自在の蓋体によって密閉されていることを特徴とする請求項３記載の礼拝祈願対象物。
【請求項５】
前記護摩の灰が予め包装紙に包まれていることを特徴とする請求項３又は４記載の礼拝祈願対象物。
【請求項６】
前記護摩の灰を納めて成る礼拝祈願対象物に法をかけてあることを特徴とする請求項３乃至５の何れか記載の礼拝祈願対象物。
【考案の詳細な説明】
【技術分野】
【０００１】
本考案は仏像や御守りをはじめとする礼拝祈願対象物の構造に関し、具体的には、護摩法を修した後に残る護摩の灰を有効利用した仏像や御守りなどに関する。
なお、本考案の目的は、礼拝祈願対象物と護摩の灰を一体化させて、礼拝祈願対象物によるご加護をより一層強調することにあるから、皿や器などの日用品は「礼拝祈願対象物」に含まれない。
【背景技術】
【０００２】
密教では、国家や個人のために、災をはらって福を祈り、あるいは怨敵降伏などのために行う加持祈祷の作法として修法がある。かかる修法は、壇に本尊を安置し、護摩を焚き、手には印を結び、口には真言を唱え、心には仏菩薩を観じて、行者と本尊との三密の一致を得ることによって、その目的の願いを達成しようとするものである。その目的によって息災法、降伏法など種々の作法に分けられる。
【０００３】
そして、前述した護摩とは、お不動様を本尊として、その前に壇を設け、様々な供物を捧げ、護摩木という特別に作られた薪を焚いて、不動明王に祈る密教の秘法である。
かかる護摩では護摩壇で護摩木が勢いよく燃やされるが、この護摩木は「心の迷い＝煩悩」を、燃え上がる炎は「仏さまの悟りの智慧」を表しているといわれる。したがって、護摩で護摩木を勢いよく燃やすのは、「仏さまの悟りの智慧＝炎」で「煩悩＝護摩木」を焼き滅ぼすことを象徴している。
【０００４】
そして、かかる護摩木を燃やすことによって生じる木の灰を「護摩の灰」と言う。
護摩法を修した後に残る護摩の灰は、護摩木の焚焼残渣灰分であるが、そのご利益の大なることもすさまじく、大変ありがたいものであるから、かかる護摩の灰の有効な利用方法が検討されていた。
【考案の開示】
【考案が解決しようとする課題】
【０００５】
そこで、本考案の目的は、祈願された護摩の灰を有効利用した仏像や御守りなどを提供することにある。
【課題を解決するための手段】
【０００６】
このような目的は、護摩法を修した後に残る護摩の灰を、内部に納めて成ることを特徴とする礼拝祈願対象物によって達成される。かかる礼拝祈願対象物は、護摩の灰を当該対象物の内側または外側に装着させることによって構成されてもよい。あるいは、護摩の灰を、仏像や御守りなどの礼拝祈願対象物の形状に固めて成型することによって構成されてもよい。
【０００７】
なお、本考案に係る「礼拝祈願対象物」には、礼拝対象としての仏像や、ご加護を祈願する御守り札・御守り袋など、各種の礼拝祈願対象物が含まれ、いずれの態様であっても法をかけて参拝者等に提供される。
【０００８】
例えば、礼拝祈願対象物として仏像を採用する場合には、当該仏像に収納穴を形成し、護摩法を修した後に残る護摩の灰を、前記収納穴に納めてもよい。この場合、護摩の灰は予め包装紙に包まれていることが好ましく、また、収納穴は開閉自在の蓋体によって密閉されることが好ましい。
【考案の効果】
【０００９】
本考案は、護摩法を修した後に残る護摩の灰を礼拝祈願対象物に含んでいる結果、ご利益のある護摩の灰と礼拝祈願対象物が一体化しているので、祈願または礼拝した参拝者がこの対象物を持ち帰れば、日々そのご加護を実感することができる。
【００１０】
また、単に包装紙に包まれた護摩の灰を持ち帰る場合等に比して、本考案の場合では仏像や御守りなどに納めてある結果、視覚的にもご加護を実感することができ、より一層の精神的満足感・幸福感を感ずることができる。
【００１１】
しかも本考案によれば、礼拝祈願対象物としての仏像や御守り札などには、予め底部や背部に収納穴が形成されているので、当該対象物への護摩の灰の収納が極めて簡単である。
さらに、護摩灰用の収納穴は開閉自在の蓋体によって密閉されるようになっているので、護摩の灰が体内から漏れ出すことはない。
また、護摩の灰を予め包装紙に包んでおくことにより、仏像への収納作業が簡単かつ迅速に行える。
【考案を実施するための最良の形態】
【００１２】
（第１の実施形態）
はじめに、礼拝祈願対象物の具体例として仏像を挙げて、本考案について説明する。
図１は、本考案の一例である仏像を示す全体図である。
図２は、図１の仏像の内部構造を概略的に示す図であり、仏像の輪郭を二点鎖線で示している。
【００１３】
木像である仏像１には、底部をくり貫いて形成した円柱状の収納穴３が形成されている。当該収納穴３は、開閉自在のディスク状の蓋体７によって密閉されるようになっている。蓋体７の底面には、開閉操作がし易いように、溝や摘みや設けられていてもよい。
【００１４】
図示する仏像１の収納穴３には、護摩法を修した後に残る護摩の灰５（護摩木の焚焼残渣灰分）が納めてある。かかる護摩の灰５は仏像に収納し易いように予め粉砕し、粉状あるいは細片状にしてある。
このような護摩の灰はそのままの状態で納められてもよく、或いは、予め包装紙に包まれた状態で納められてもよい。
また護摩の灰５が定形性を有するように、予め接着剤等を添加して所定形状に固めて成形されていてもよい。
さらに、必要に応じて香料や着色剤が添加されていてもよい。
【００１５】
そして、護摩の灰５を納めて成る仏像１に、最終的に法をかけて参拝者等に提供される。
【００１６】
上述した仏像１は、護摩の灰５を納めた状態で提供されてもよく、或いは、参拝者が自身で納めることができるように収納穴３を空にした状態で提供されてもよい。
【００１７】
なお、収納穴３の形成部位は、仏像１の底部に限定されず、例えば仏像１の背部，側部又は前部であってもよい。
【００１８】
また上記実施形態では、「木像」の仏像を一例として挙げたが、本考案で利用可能な仏像の材質は特に限定されず、金属製や焼き物あるいは石彫などの各種材質の仏像を採用することができる。
なお、宗派によって仏像の顔形などには違いがあるため、図１に示す仏像以外にも様々な種類の仏像があるが、本考案に係る礼拝祈願対象物には、図示する仏像は勿論、あらゆる仏像が含まれることに留意されたい。
【００１９】
上述した本考案によれば、護摩法を修した後に残る護摩の灰を仏像の体内に納めている結果、ご利益のある護摩の灰と礼拝対象たる仏像が一体化しているので、祈願した参拝者がこの仏像を持ち帰れば、日々そのご加護を視覚的にも精神的にも実感することができる。
【００２０】
（第２の実施形態）
上述した実施形態では、礼拝祈願対象物の一例として仏像を挙げたが、本考案の実施態様はこれに限定されるものではなく、あらゆる礼拝対象・祈願対象が含まれる。
そこで次に、礼拝祈願対象物の実施態様の別例として御守りを挙げて説明する。
【００２１】
御守りは、札状のものや、袋状のものなど、様々な形態で提供されている。
袋状の御守りを採用する場合には、前述した護摩の灰を袋内に収納したものを提供することができる。勿論、御守り袋の内部には、護摩の灰とは別に御神体が収納してある。
【００２２】
御守り袋の内部に護摩の灰を収納するに際しては、袋内に納め易いように、護摩木の焚焼残渣灰分を予め粉砕し、粉状あるいは細片状しておくことが好ましい。
このように粉砕された護摩の灰はそのままの状態で納められてもよく、或いは、予め包装紙に包まれた状態で納められてもよい。
また、接着剤で所定形状（例えば小さな板状）に固めて成形したものを、御守り袋の内部に納めるようにしてもよい。護摩の灰を板状に成型する方法は特に限定されず、たとえば、予め粉砕しておいた護摩の灰に膠などの接着剤を塗布して所定形状に固めることができる。
【００２３】
袋状の御守りに限らず、札状の御守りを採用する場合にも、前述した護摩の灰を備えたものを提供することができる。そのような御守り札の具体例を挙げると、例えば、所定形状（例えば小さな薄板状）に固めて成形した護摩の灰を、御守り札に装着又は挟持させたものが挙げられる。
【００２４】
（その他の実施形態）
上述した実施形態では、仏像や御守りなどの礼拝祈願対象物に護摩の灰を収納，装着，挟持させたものについて説明したが、本考案に係る礼拝祈願対象物の実施態様はこれに限定されるものではない。
例えば、本考案に係る礼拝祈願対象物は、護摩の灰を所定形状（仏像やお守り札などの形状）に固めて成型されたものから構成されてもよい。
【図面の簡単な説明】
【００２５】
【図１】本考案に係る礼拝祈願対象物の具体例としての仏像を示す全体図である。
【図２】図２は、図１の仏像の内部構造を概略的に示す図である（仏像の輪郭を二点鎖線で示す）。
【符号の説明】
【００２６】
１      仏像
３      収納穴
５      護摩法を修した後に残る護摩の灰（護摩木の焚焼残渣灰分）
７      蓋体
【図２】
0003134331.tif 000003
【図１】
0003134331.tif 000004